(57)【要約】【課題】本発明は、コンピュータネットワークに接続された複数の端末からサーバーに接続して、教育レベルに対応した教育資料ファイルをダウンロードすることができる教育資料用のイベント事例選択情報作成システムに関する。【解決手段】教育資料作成情報に、イベント事例が類型毎に分類されて選択可能なイベント事例選択情報を有しており、教育資料作成手段が、イベント事例が類型毎に分類されて選択可能なイベント事例選択画面から、任意の類型を選択してその中から具体的なイベント事例選択情報を作成するイベント事例選択ステップを有しており、前記端末でイベント事例選択ステップを処理して、イベント事例選択情報を作成し、該イベント事例選択情報を含む教育資料ファイルを作成することを特徴とする。【選択図】  図１９
2006292976.tif 000002
【特許請求の範囲】
【請求項１】
コンピュータネットワークに接続された複数の端末から接続可能なサーバーに教育資料作成情報を記録した記録部と、記憶部に記録された教育資料作成情報を基に教育資料ファイルを作成する教育資料作成手段とが設けられており、
前記教育資料作成情報に、イベント事例が類型毎に分類されて選択可能なイベント事例選択情報を有しており、
教育資料作成手段が、イベント事例が類型毎に分類されて選択可能なイベント事例選択画面から、任意の類型を選択してその中から具体的なイベント事例選択情報を作成するイベント事例選択ステップを有しており、
前記端末でイベント事例選択ステップを処理して、イベント事例選択情報を作成し、該イベント事例選択情報を含む教育資料ファイルを作成して前記端末にダウンロードしうることを特徴とする教育資料用のイベント事例選択情報作成システム。
【請求項２】
イベント事例選択情報が、イベントの原因と結果を１または複数の静止画、または動画で表現するイベント画面情報と、該イベント画面情報に対応して、原因または結果についてのコメントを表示したコメント情報とからなっていることを特徴とする請求項１に記載の教育資料用のイベント事例選択情報作成システム。
【請求項３】
イベント事例選択情報が、建設機械の災害事例選択情報からなっていることを特徴とする請求項１または２に記載の教育資料用のイベント事例選択情報作成システム。
【請求項４】
教育資料作成手段が、自由ページ作成ステップの他に、表紙作成画面にデータを端末から外部入力して表紙作成情報を作成する表紙作成ステップと、目次作成画面にデータを端末から外部入力して目次作成情報を作成する目次作成ステップと、代表者挨拶作成画面にデータを端末から外部入力して代表者挨拶作成情報を作成する代表者挨拶作成ステップと、自己紹介作成画面にデータを端末から外部入力して自己紹介作成情報を作成する自己紹介作成ステップと、複数のイントロダクションが選択可能なイントロダクション選択画面から使用するイントロダクション選択情報を選択するイントロダクション選択ステップと、イベントの実状表示画面から所定の災害の実状表示情報を確認する災害の実状表示ステップと、イベント事例の進め方表示画面から所定のイベント事例の進め方情報を確認するイベント事例の進め方表示ステップと、イベント事例が類型毎に分類されて選択可能なイベント事例選択画面から、任意の類型を選択してその中から具体的なイベント事例情報を作成するイベント事例選択ステップと、まとめ表示画面から所定のまとめ表示情報を確認するまとめ表示ステップと、安全唱和表示画面から所定の安全唱和表示情報を確認する安全唱和表示ステップとからなるステップの全部または選ばれた複数のステップからなる資料作成用ステップ群を有しており、
該資料作成用ステップ群の全部または選ばれた複数のステップを抽出して作成するレベルに対応したコースの種類に応じて抽出し、各コース毎にコース別ステップ群を形成し、
各コース別ステップ群は、前記端末で該コース別ステップ群に含まれたステップの全部または一部を選択して処理し、教育資料ファイルが作成されることを特徴とするイベント事例選択情報作成システム。
【発明の詳細な説明】
【技術分野】
【０００１】
本発明は、コンピュータネットワークに接続された複数の端末からサーバーに接続して、作成者が作成したデータを自由ページ作成情報として教育レベルに対応した教育資料ファイルとしてダウンロードすることができる教育資料用のイベント事例選択情報作成システムに関する。
【背景技術】
【０００２】
従来、例えば、建設機械の販売店の営業担当者は、顧客向の安全教育を実施するにあたり、配布資料やプレゼンテーション資料の作成は手作業でコピーしたり、OHPを作成するなどが殆どであった。
これによりノウハウの蓄積は個人の範疇から出ることがなく、情報の共有化が図られていないことにより、限られたベテランセールスマンでなければ実施できないのが現状であった。
経験の乏しいセールスマンにとって安全教育を実施することは、その準備に時間と手間がかかり、煩雑な作業となっていた。
また、このことは教育資料の作成一般に共通した問題点であった。
【０００３】
一方、例えば特開２００１−１６７１２０号の会議資料作成支援用システムでは、記憶手段に格納され、かつ過去に開催された会議の課題データと前記課題データに対する結論データとを少なくとも蓄積する会議情報データベースから、開催しようとする新たな会議の課題データに含まれている少なくとも１のキーワードを含むキーワード含有課題データに対する結論データを抽出する結論データ抽出処理手段を少なくとも有する構成が開示されている。
この構成では、イベント事例を類型毎に分類して選択しうるような構成とはなっておらず、多数のイベント事例の中から最適な事例を選択することはできなかった。
また、特開２００２−２３００５１号の資料作成支援システムでは、作成すべき資料の素材に関する複数の資料素材情報を記憶する資料素材情報記憶手段と、前記資料素材情報記憶手段に記憶された複数の資料素材情報から、前記資料が作成される作成者側端末の要求に応じて、所望の資料素材情報を選択する資料素材情報選択手段と、この資料素材情報選択手段によって選択された資料素材情報を、前記作成者側端末に送信する送信手段と、この送信手段によって、前記作成者側端末に送信された前記資料素材情報を利用して、該作成者側端末で作成された資料の資料情報を受信する受信手段と、この受信手段によって受信された資料情報を記憶する資料情報記憶手段とを含む構成からなっている。
しかし、この場合もイベント事例を類型毎に分類して選択しうるような構成とはなっておらず、多数のイベント事例の中から最適な事例を選択することはできなかった。
【特許文献１】特開２００１−１６７１２０号  図２、図３参照
【特許文献２】特開２００２−２３００５１号  図２、図３参照
【発明の開示】
【発明が解決しようとする課題】
【０００４】
この発明は、上記事情に鑑みて創案されたものであって、その主たる課題は、災害事例などのイベント事例が類型毎に分類されており、作成者が説明に最適なイベント事例を選択して具体的なイベント事例選択情報を作成し、教育資料ファイルを作成することができる教育資料用のイベント事例選択情報作成システムを提供することにある。
【課題を解決するための手段】
【０００５】
この発明は、上記課題を解決するために、請求項１の発明では、
コンピュータネットワークに接続された複数の端末から接続可能なサーバーに教育資料作成情報を記録した記録部と、記憶部に記録された教育資料作成情報を基に教育資料ファイルを作成する教育資料作成手段とが設けられており、
前記教育資料作成情報に、イベント事例が類型毎に分類されて選択可能なイベント事例選択情報を有しており、
教育資料作成手段が、イベント事例が類型毎に分類されて選択可能なイベント事例選択画面から、任意の類型を選択してその中から具体的なイベント事例選択情報を作成するイベント事例選択ステップを有しており、
前記端末でイベント事例選択ステップを処理して、イベント事例選択情報を作成し、該イベント事例選択情報を含む教育資料ファイルを作成して前記端末にダウンロードしうることを特徴とする。
また、請求項２の発明では、
前記イベント事例選択情報が、イベントの原因と結果を１または複数の静止画、または動画で表現するイベント画面情報と、該イベント画面情報に対応して、原因または結果についてのコメントを表示したコメント情報とからなっていることを特徴とする。
請求項３の発明では、
前記イベント事例選択情報が、建設機械の災害事例選択情報からなっていることを特徴とする。
更に、請求項４の発明では、
前記教育資料作成手段が、自由ページ作成ステップの他に、表紙作成画面にデータを端末から外部入力して表紙作成情報を作成する表紙作成ステップと、目次作成画面にデータを端末から外部入力して目次作成情報を作成する目次作成ステップと、代表者挨拶作成画面にデータを端末から外部入力して代表者挨拶作成情報を作成する代表者挨拶作成ステップと、自己紹介作成画面にデータを端末から外部入力して自己紹介作成情報を作成する自己紹介作成ステップと、複数のイントロダクションが選択可能なイントロダクション選択画面から使用するイントロダクション選択情報を選択するイントロダクション選択ステップと、イベントの実状表示画面から所定の災害の実状表示情報を確認する災害の実状表示ステップと、イベント事例の進め方表示画面から所定のイベント事例の進め方情報を確認するイベント事例の進め方表示ステップと、イベント事例が類型毎に分類されて選択可能なイベント事例選択画面から、任意の類型を選択してその中から具体的なイベント事例情報を作成するイベント事例選択ステップと、まとめ表示画面から所定のまとめ表示情報を確認するまとめ表示ステップと、安全唱和表示画面から所定の安全唱和表示情報を確認する安全唱和表示ステップとからなるステップの全部または選ばれた複数のステップからなる資料作成用ステップ群を有しており、
該資料作成用ステップ群の全部または選ばれた複数のステップを抽出して作成するレベルに対応したコースの種類に応じて抽出し、各コース毎にコース別ステップ群を形成し、
各コース別ステップ群は、前記端末で該コース別ステップ群に含まれたステップの全部または一部を選択して処理し、教育資料ファイルが作成されることを特徴とする。
【発明の効果】
【０００６】
この発明の教育資料用のイベント事例選択情報作成システムでは、教育資料作成情報に、イベント事例が類型毎に分類されて選択可能なイベント事例選択情報を有しており、イベント事例選択ステップで前記イベント事例選択画面から、作成者にとって最適の事例を選択してイベント事例選択情報を作成することができる。
また、イベント事例選択情報では、イベントの原因と結果を静止画や動画で表現し、その原因または結果についてコメントを表示することができるので、教育資料としての理解度を高めることができる。
【発明を実施するための最良の形態】
【０００７】
この発明は、予め記録した教育資料作成情報をもとに、作成者の教育レベルに応じて使用する教育資料作成情報の組合せを変えることで、作成者の教育レベルにあった教育資料ファイルを作成するという目的を、実現した。
以下に、この発明の教育資料作成システムを建設機械の安全教育資料作成システムに適用した好適実施例について図面を参照しながら説明する。
【実施例１】
【０００８】
［機能概要］
本実施例の安全教育資料作成支援システムは、営業マンが顧客安全教育に用いる説明用資料を容易に作成できるように支援するものであり、図１に示すように、コンピュータネットワークＮを介してサーバー１と多数のパーソナルコンピュータなどからなる端末１０とが接続されている。
サーバー１は、教育資料作成情報を記録したメモリなどの記録部２を有しており、該記憶部２に記録された教育資料作成情報を基に教育資料ファイルを作成するプログラムからなる安全教育資料作成手段３が設けられている。
【０００９】
［教育資料作成情報］
前記教育資料作成情報は、端末１０のキーボードなどから外部入力されたデータを組み合わせて資料を作成する差し込み資料作成情報と、分類化された多数の情報から選択して資料を作成する選択資料作成情報と、予め決められた内容の資料からなる固定資料作成情報と、情報ファイルを自由に指定して資料とする自由資料作成情報とからなっている。
【００１０】
本実施例で、差し込み資料作成情報は、表紙作成情報と、目次作成情報と、社長挨拶作成情報と、自己紹介作成情報とからなっている。
選択資料作成情報は、イントロダクション選択情報と、災害事例選択情報とからなっている。
固定資料作成情報は、災害の実状表示情報と、災害事例の進め方表示情報と、まとめ表示情報と、安全唱和表示情報とからなっている。
自由資料作成情報は、作成者が自由に選択することができる自由ページ作成情報からなっている（図２５参照）。
【００１１】
［教育資料作成手段］
次に、安全教育資料作成手段３は、サーバー１で実行される教育資料作成支援プログラムからなっている。
このプログラムでは、サーバー１にアクセスした端末１０の外部表示部（図示省略）にメニュー画面として、教育レベルに相当する複数のコースが選択可能に表示される。
そして、端末１０からの外部入力によって任意のコースが指定されると、指定されたコースに対応して、ベースとなる資料作成用ステップ群から、コースに対応したステップが抽出されてコース別ステップ群が形成される。
【００１２】
前記教育資料作成手段では、資料作成の用途および教育レベルに対応するコースとして、教育紹介コース、教育コース、大会コースのそれぞれの用途に応じた資料を作成することができる。
教育紹介コースは、営業マンが顧客に安全教育の必要性を説明するときに用いる教育紹介用資料ファイルを作成する。
教育コースは、教育レベル（実施例では初心者とベテランに分ける）に応じて実際の教育を行うときに用いる教育資料ファイルを作成する。
大会コースは、営業マンが安全大会の時に用いる安全大会用教育資料ファイルを作成する。
【００１３】
［資料作成用ステップ群］
本実施例で資料作成用ステップ群は、図２５に示すように下記の構成からなっている。
（１）表紙作成画面にデータを端末から外部入力して表紙作成情報を作成する表紙作成ステップ
（２）目次作成画面にデータを端末から外部入力して目次作成情報を作成する目次作成ステップ
（３）代表者挨拶作成画面にデータを端末から外部入力して代表者挨拶作成情報を作成する代表者挨拶作成ステップ
（４）自己紹介作成画面にデータを端末から外部入力して自己紹介作成情報を作成する自己紹介作成ステップ
（５）複数のイントロダクションが選択可能なイントロダクション選択画面から使用するイントロダクション選択情報を選択するイントロダクション選択ステップ
（６）災害の実状表示画面から所定の災害の実状表示情報を確認する災害の実状表示ステップ
（７）災害事例の進め方表示画面から所定の災害事例の進め方情報を確認する災害事例の進め方表示ステップ
（８）災害事例が類型毎に分類されて選択可能な災害事例選択画面から、任意の類型を選択してその中から具体的な災害事例情報を作成する災害事例選択ステップ
（９）まとめ表示画面から所定のまとめ表示情報を確認するまとめ表示ステップ（10）安全唱和表示画面から所定の安全唱和表示情報を確認する安全唱和表示ステップ
（11）自由ページ作成画面に、作成者によってデータが入力されて自由ページ作成情報を作成する自由ページ作成ステップ
【００１４】
［コース別ステップ群］
また、コース別ステップ群として、教育紹介コースでは、表紙作成ステップと、イントロダクション選択ステップと、災害の実状表示ステップと、災害事例選択ステップとからなっている。
初心者コースでは、表紙作成ステップと、目次作成ステップと、代表者挨拶作成ステップと、自己紹介作成ステップと、イントロダクション選択ステップと、災害の実状表示ステップと、災害事例の進め方表示ステップと、災害事例選択ステップと、まとめ表示ステップと、安全唱和表示ステップとからなっている。
【００１５】
ベテランコースでは、表紙作成ステップと、目次作成ステップと、代表者挨拶作成ステップと、自己紹介作成ステップと、イントロダクション選択ステップと、自由ページ作成ステップと、災害の実状表示ステップと、災害事例の進め方表示ステップと、災害事例選択ステップと、まとめ表示ステップと、安全唱和表示ステップとからなっている
大会コースでは、表紙作成ステップと、目次作成ステップと、代表者挨拶作成ステップと、自己紹介作成ステップと、イントロダクション選択ステップと、自由ページ作成ステップと、災害の実状表示ステップと、災害事例選択ステップと、安全唱和表示ステップとからなっている。
【００１６】
そして、端末には、コース別ステップ群の各ステップが所定の順番で表示され端末１０からの外部入力によって各ステップを処理して、安全教育資料ファイルを作成する。
この安全教育資料ファイルは、コース別ステップ群のステップにより資料作成情報の全部または一部を使用するか否かの選択と、差し込み資料作成情報への差し込みデータの入力と、選択資料作成情報の選択とにより、各ステップで作成される資料作成情報が組み合わされて１つのファイルが作成される。
【００１７】
また、前記資料作成情報には、これらに対応した説明文からなる説明ポイントデータが関連づけてある。
そして、作成者が端末１０から使用する教育資料作成情報を選択することで、これら選択された各教育資料作成情報に対応した説明ポイントデータが集められて前記教育資料ファイルに対応した１つの説明ポイントファイルが作成される。
また、作成者が前記教育資料ファイルおよび説明ポイントファイルを作成すると、サーバー１では、作成者に関する属性データとして、氏名、所属、作成した教育資料ファイルの教育レベル、教育資料ファイルの作成日のデータが記録部２に記録されるようになっている。
【００１８】
この安全教育資料作成支援システムでは、端末１０のディスプレイの画面上で必要事項を入力することにより、前記各教育資料ファイルが自動生成され、その資料ファイルを自分が操作する端末１０のメモリにダウンロードすることができる。
【００１９】
このとき、教育資料ファイルに対応して説明のポイントが記載された説明ポイントファイルも一緒にダウンロードされるので、作成者はそれを参照しながら説明内容を決めていくことができる。
このようにダウンロードした教育資料ファイルは、インターネットのブラウザー上に表示することができる。
【００２０】
［資料作成機能  起動］
端末１０からサーバーにアクセスすると、端末１０のディスプレイ上に図示省略のメニュー画面が表示され、該メニュー画面から「安全資料作成」の項目を選択するとコース選択画面Ｄ１が表示される（図２参照）。
該コース選択画面Ｄ１には、本実施例の場合、「教育紹介コース」Ｃ１と、「初心者コース」Ｃ２と、「ベテランコース」Ｃ３と、「大会コース」Ｃ４の４つのコースが表示されており、それらの何れかを選択することにより、それぞれの該当する画面に遷移する。
【００２１】
また、コース選択画面Ｄ１上に表示された「戻る」ボタンＢ１を選択すると、上記コース選択画面Ｄ１が消去され、メニュー画面に戻る。
また、コース選択画面Ｄ１上に表示された「初めてご使用の方へ」ボタンＢ２を選択すると、本システムの手順を図解した画面（図示省略）が表示される。
この解説画面にて、本システムの「目的」と「何ができるか」が理解できるようになっている。
【００２２】
次に、コース選択画面Ｄ１上の「読み込み」ボタンＢ３を選択することにより、過去の作成履歴の画面が表示される（図３参照）。
本実施例では、過去3回分の安全教育資料ファイルの作成履歴が記録部２に記録されており、作成日付で表示される作成履歴のいずれかを選択し「実行」ボタンＢ５をクリックすると、前記選択された安全教育資料ファイルの保存データを記録部２から呼び出すことができる。
【００２３】
［資料作成画面−教育紹介コース］
「教育紹介コース」Ｃ１は、営業マンが顧客に安全教育の必要性を説明するときに用いる。
図４に教育紹介コースＣ１におけるコース別ステップ群のフローチャートを示す。
コース選択画面Ｄ１にて「教育紹介コース」Ｃ１を選択すると教育紹介画面Ｄ２（図５参照）が表示される。
この画面Ｄ２には、表示作成ステップからなる「１．表紙作成」、イントロダクション選択ステップからなる「２．イントロダクション選択」、災害の実状表示ステップからなる「３．災害の実状表示」、災害事例選択ステップからなる「４．災害事例選択」の各項目が表示されており、表紙、イントロダクション、災害の実状、災害事例の各資料情報の作成の有無を選択するようになっている。
【００２４】
そして、教育紹介画面Ｄ２のそれぞれの項目の右側に表示されている、「作成画面へ」、「表示画面へ」、または「選択画面へ」のいずれかを選択（図示例では左側のラジオボタンをチェック）することにより資料作成の対象とすることが選択され、対応するそれぞれの画面に遷移する。
また、「作成しない」を選択（同様に左側のラジオボタンをチェック）することにより資料作成の対象外となる。
【００２５】
前記画面Ｄ２下段の「プレビュー」ボタンＢ６を選択することにより、作成した教育紹介用の資料ファイルのプレビュー画面が表示される。もし全ての項目で「作成しない」を選択していた場合は、エラーが表示される。
また、「ダウンロード」ボタンＢ７を選択することにより、作成した資料ファイルのダウンロード先を指定する画面が表示される。
「キャンセル」ボタンＢ８を選択することにより、コース選択画面Ｄ１に戻る。
「ヘルプ」ボタンＢ９を選択することにより、使い方を説明したヘルプ画面（図示省略）が表示される。
このヘルプ画面は、教育紹介コースＣ１、初心者コースＣ２、ベテランコースＣ３、大会コースＣ４で全て共通の画面となっている。
【００２６】
［初心者コース］
次に、初心者コースＣ２は、教育に不慣れな営業マンなどの教育レベルが初心者レベルに相当する者が指定するコースである。
図６に初心者コースＣ２におけるコース別ステップ群のフローチャートを示す。
前記コース選択画面Ｄ１にて「初心者コース」Ｃ２を指定すると、初心者コース画面Ｄ３が表示される（図７参照）。
【００２７】
この画面Ｄ３には、表紙作成ステップからなる「１．表紙作成」、目次作成ステップからなる「２．目次作成」、社長挨拶作成ステップからなる「３．社長挨拶作成」、自己紹介作成ステップからなる「４．自己紹介作成」、イントロダクション選択ステップからなる「５．イントロダクション選択」、災害の実状表示ステップからなる「６．災害の実状表示」、災害事例の進め方ステップからなる「７．災害事例の進め方表示」、災害事例選択ステップからなる「８．災害事例選択」、まとめ表示ステップからなる「９．まとめ表示」、安全唱和表示ステップからなる「10．安全唱和表示」の各項目が表示されており、表紙、目次、社長挨拶、自己紹介、イントロダクション、災害の実状、災害事例の進め方、災害事例、まとめ、安全唱和のページの作成の有無を選択するようになっている。
【００２８】
この場合も、それぞれの項目の右側に表示されている、「作成画面へ」、「表示画面へ」、「選択画面へ」のいずれかを選択（図示例では左側のラジオボタンをチェック）することにより資料作成の対象とすることが選択され、対応するそれぞれの画面に遷移する。
また、「作成しない」を選択（同様に左側のラジオボタンをチェック）することにより資料作成の対象外となる。
また、「プレビュー」ボタン、「ダウンロード」ボタン、「キャンセル」ボタンの機能は、前記「教育紹介」コースＣ１の場合と同じである。
【００２９】
［ベテランコース］
ベテランコースＣ３初心者コースＣ２は、教育に慣れた営業マンなどの教育レベルがベテランレベルに相当する者が指定するコースである。
図８にベテランコースＣ３におけるコース別ステップ群のフローチャートを示す。
前記コース選択画面Ｄ１にて、「ベテランコース」Ｃ３を選択するとベテランコース画面Ｄ４が表示される（図９参照）。
【００３０】
この画面Ｄ４には、表紙作成ステップからなる「１．表紙作成」、目次作成ステップからなる「２．目次作成」、社長挨拶作成ステップからなる「３．社長挨拶作成」、自己紹介作成ステップからなる「４．自己紹介作成」、イントロダクション選択ステップからなる「５．イントロダクション選択」、自由ページ作成ステップからなる「６．自由ページ作成」、災害の実状表示ステップからなる「７．災害の実状表示」、災害事例の進め方表示ステップからなる「８．災害事例の進め方表示」、災害事例選択ステップからなる「９．災害事例選択」、まとめ表示ステップからなる「10．まとめ表示」、安全唱和表示ステップからなる「11．安全唱和表示」の各項目が表示されており、表紙、目次、社長挨拶、自己紹介、イントロダクション、自由ページ、災害の実状、災害事例の進め方、災害事例、まとめ、安全唱和のページの作成の有無を選択するようになっている。
【００３１】
この場合も、それぞれの項目の右側に表示されている、「作成画面へ」、「表示画面へ」、「選択画面へ」のいずれかを選択（図示例では左側のラジオボタンをチェック）することにより資料作成の対象とすることが選択され、対応するそれぞれの画面に遷移する。
また、「作成しない」を選択（同様に左側のラジオボタンをチェック）することにより資料作成の対象外となる。
また、「プレビュー」ボタンＢ６、「ダウンロード」ボタンＢ７、「キャンセル」ボタンＢ８の機能は、前記「教育紹介コース」Ｃ１の場合と同じである（図５参照）。
【００３２】
［大会コース］
大会コースＣ４は、種々の安全大会を行うときに指定するコースである。
図１０に大会コースＣ４におけるコース別ステップ群のフローチャートを示す。
コース選択画面Ｄ１にて「大会コース」Ｃ４を選択すると、大会コース画面Ｄ５が表示される（図１１参照）。
【００３３】
この画面Ｄ５には、表紙作成ステップからなる「１．表紙作成」、目次作成ステップからなる「２．目次作成」、社長挨拶作成ステップからなる「３．社長挨拶作成」、イントロダクション選択ステップからなる「４．イントロダクション選択」、自由ページ作成情報作成する「５．自由ページ作成」、災害の実状表示ステップからなる「６．災害の実状表示」、災害事例選択ステップからなる「７．災害事例選択」、安全唱和表示ステップからなる「８．安全唱和表示」の各項目が表示されており、表紙、目次、社長挨拶、イントロダクション、自由ページ、災害の実状、災害事例、安全唱和のページの作成の有無を選択するようになっている。
【００３４】
この場合も、それぞれの項目の右側に表示されている、「作成画面へ」、「表示画面へ」、「選択画面へ」のいずれかを選択（図示例では左側のラジオボタンをチェック）することにより資料作成の対象とすることが選択され、対応するそれぞれの画面に遷移する。
また、「作成しない」を選択（同様に左側のラジオボタンをチェック）することにより資料作成の対象外となる。
また、「プレビュー」ボタンＢ６、「ダウンロード」ボタンＢ７、「キャンセル」ボタンＢ８の機能は、前記「教育紹介コース」Ｃ１の場合と同じである（図５参照）。
【００３５】
「表紙作成］
次に各種設定画面について説明する。
表紙は差し込み資料作成情報からなっている。
各コース画面にて、「表紙作成」を選択すると、表紙作成情報を作成する表紙作成画面Ｄ６が端末１０のディスプレイ上に表示される（図１２参照）。
表紙作成画面Ｄ６には、「お客様名称」の記入欄、「タイトル」の記入欄、「販売店１」、「販売店２」のそれぞれの記入欄が表示されており、作成者によってそれぞれのデータが端末を介して入力される。
そして、画面Ｄ６中の「実行」ボタンＢ１０を選択することにより、入力したデータが表紙作成情報の所定の個所に差し込まれて表紙作成情報が完成し、内容が保存されて、前画面に戻る。
また画面中の「キャンセル」ボタンＢ１１を選択することにより、入力した内容は破棄され、前画面に戻る。
【００３６】
［目次作成］
目次は、差し込み資料作成情報からなっている。
各コース画面にて、「目次作成」を選択すると、目次作成情報を作成する目次作成画面Ｄ７が端末１０のディスプレイ上に表示される（図１３参照）。
この目次作成画面Ｄ７には、「開催日時」の記入欄、「場所」の記入欄、「主催者」の記入欄、「協賛」の記入欄、「協力」の記入欄、「講師」の記入欄、「内容」の記入欄が表示されており、作成者によってそれぞれのデータが端末を介して入力される。
【００３７】
そして、画面Ｄ７中の「実行」ボタンＢ１０を選択することにより、入力したデータが目次作成情報の所定の個所に差し込まれて目次作成情報が完成し、内容が保存されて、前画面に戻る。
また画面中の「キャンセル」ボタンＢ１１を選択することにより、入力した内容は破棄され、前画面に戻る。
【００３８】
［社長挨拶作成］
社長挨拶は差し込み資料作成情報からなっている。
各コース画面にて、「社長挨拶作成」を選択すると、社長挨拶作成情報を作成する社長挨拶作成画面Ｄ８が端末１０のディスプレイ上に表示される（図１４参照）。
【００３９】
社長挨拶作成画面Ｄ８には、「社長名称」の記入欄が表示されており、作成者によってデータが端末を介して入力される。
そして、画面Ｄ８中の「実行」ボタンＢ１０を選択することにより、入力したデータが社長挨拶作成情報の所定の個所に差し込まれて社長挨拶作成情報が完成し、内容が保存されて、前画面に戻る。
また画面中の「キャンセル」ボタンＢ１１を選択することにより、入力した内容は破棄され、前画面に戻る。
【００４０】
［自己紹介作成］
自己紹介は、差し込み資料作成情報からなっている。
各コース画面にて、「自己紹介作成」を選択すると自己紹介作成情報を作成する自己紹介作成画面Ｄ９が端末１０のディスプレイ上に表示される（図１５参照）。
【００４１】
この自己紹介作成画面Ｄ９には、「氏名」の記入欄、「生年月日」の記入欄、「出身」の記入欄、「家族」の記入欄、「趣味」の記入欄、「マイブーム」の記入欄、「その他」の記入欄、「ファイル名」の記入欄が表示されており、作成者によってそれぞれデータが端末を介して入力される。
上記入力欄が空欄（何も入力しない）の場合には、作成資料にはその項目は表示されず、その分、上に詰まって表示される。
【００４２】
また、作成者の端末１０に保存されているgifファイルやHTMLファイル等を「ファイル名」欄に指定すると、そのファイルを自己紹介画面として使用することができる(本実施例では、この場合、氏名などの入力した内容は無視されるが、両方表示されるようにしてもよい)。
【００４３】
そして、画面Ｄ９中の「実行」ボタンＢ１０を選択することにより、入力したデータが自己紹介作成情報の所定の個所に差し込まれて自己紹介作成情報が完成し、内容が記録部２に保存されて、前画面に戻る。
また画面Ｄ９中の「キャンセル」ボタンＢ１１を選択することにより、入力した内容は破棄され、前画面に戻る。
【００４４】
［イントロダクション選択］
イントロダクションは選択資料作成情報からなっている。
各コース画面にて、「イントロダクション選択」を選択すると、イントロダクション選択情報を作成するイントロダクション選択画面Ｄ１０が端末１０のディスプレイ上に表示される（図１６参照）。
このイントロダクション選択画面Ｄ１０には、本題に入る前のエピソードとして「黒四ダム（default値）」、「女子アナ」、「骨折箇所」、「魔の11分」、「青葉マークの色は・交通標識は」の５つのエピソードの表題が選択可能に表示されている。
【００４５】
そして、１つのエピソードを選択し、画面Ｄ１０中の「実行」ボタンＢ１０をクリックすることにより、選択したエピソードの内容がイントロダクション選択情報として記録部２に保存され、前画面に戻る。
また画面中の「キャンセル」ボタンＢ１１を選択することにより、選択した内容は破棄され、前画面に戻る。
【００４６】
［災害の実状表示］
災害の実情は、固定資料作成情報からなっている。
各コース画面にて、「災害の実状表示」を選択すると、災害の実状表示情報を作成する災害の実状表示画面Ｄ１１が端末１０のディスプレイ上に表示される（図１７参照）。
【００４７】
災害の実状表示画面Ｄ１１は、入力や選択をする画面ではなく、予め決められた内容の資料からなって表示のみを行う画面からなっており、作成者は画面の確認をする。
例えば、画面Ｄ１１の右側に「建設業の死亡災害の現状」が表示され、画面左側に「種類別」、「型・現場別」、「機種別」、「機種・型別」のそれぞれの画面が用意されており、画面左側のボタンを指定することにより切り替るようになっている。
【００４８】
［災害事例の進め方表示］
災害事例の進め方は、固定資料作成情報からなっている。
各コース画面にて、「災害事例の進め方表示」を選択すると災害事例の進め方表示情報を作成する災害事例の進め方表示画面Ｄ１２が端末１０のディスプレイ上に表示される（図１８参照）。
この災害事例の進め方表示画面Ｄ１２も入力や選択をする画面ではなく、予め決められた内容の表示のみを行う固定の画面からなっており、作成者は画面の確認をする。
【００４９】
［災害事例選択］
災害事例は、選択資料作成情報からなっている。
各コース画面にて、「災害事例選択」を選択すると、災害事例選択情報を作成する災害事例選択画面Ｄ１３が端末１０のディスプレイ上に表示される（図１９参照）。
この災害事例選択画面Ｄ１３は、災害事例が、「機種別」、「事故別」、「原因別」、「現場別」という上位概念で分類されており、それぞれの各類型の中で、更に詳細に下位分類の事例にまとめられている。
【００５０】
例えば、「機種別」では、「油圧ショベル」、「ホイールローダ・ブルドーザ」、「その他」が含まれており、「事故別」では「墜落・転落」、「転倒」、「激突」、「飛来・落下」、「倒壊」、「激突され」、「挟まれ・巻き込まれ」が含まれており、「原因別」には、「危険な場所」、「油圧ロック」、「前後左右未確認」、「荷の吊り」、「放置」、「運転視界」が含まれており、「現場別」では、「トンネル」、「道路」、「河川」、「土地整理」、「上下水道」、「その他」が含まれている。
【００５１】
そして、下位分類のいずれかを選択すると、その分類に属する災害事例一覧が表示された災害事例選択画面Ｄ１４(図２０参照)が表示される。
図示の災害事例選択画面Ｄ１４は、作成者が、「機種別−ホイールローダ・ブルドーザ」を選択した場合に表示される画面であり、災害の具体例を示す災害事例選択情報が複数例示されている。
この災害事例選択情報は、災害の原因と結果を１または複数の静止画、または動画で表現する災害画面情報と、該災害画面情報に対応して、原因または結果についてのコメントを表示したコメント情報とからなっているので、理解しやすい構成となっている（図１９参照）。
【００５２】
具体例の事例タイトルの先頭にチェックボックスがあり、それをチェックすることによりその事例を選択したことになる。
そして、画面Ｄ１４中の「実行」ボタンＢ１０を選択することにより、入力した内容が保存され、前画面に戻る。
また画面中の「キャンセル」ボタンＢ１１を選択することにより、入力した内容は破棄され、前画面に戻る。
【００５３】
［まとめ表示］
まとめは、固定資料作成情報からなっている。
各コース画面にて、「まとめ表示」を選択すると、まとめ表示情報を作成するまとめ表示画面Ｄ１５が端末のディスプレイ上に表示される（図２１参照）。
このまとめ表示画面Ｄ１５は、入力や選択する画面ではなく、予め決められた内容の表示のみを行う固定の画面からなっており、作成者は画面の確認をする。
【００５４】
［安全唱和表示］
安全唱和は、固定資料作成情報からなっている。
各コース画面にて、「安全唱和表示」を選択すると、安全唱和表示情報を作成する安全唱和表示画面Ｄ１６が端末１０のディスプレイ上に表示される（図２２参照）。
この安全唱和表示画面Ｄ１６も、入力や選択をする画面ではなく、予め決められた内容の表示のみを行う固定の画面からなっており、作成者は画面の確認をする。
【００５５】
［自由ページ作成］
自由ページは、自由資料作成情報からなっている。
「ベテランコース」もしくは「大会コース」にて「自由ページ作成」を選択すると、自由ページ作成情報を作成するための自由ページ作成画面Ｄ１７が端末１０のディスプレイ上に表示される（図２３参照）。
この自由ページ作成画面Ｄ１７は、「タイトル」の記入欄と、「ファイル名」の記入欄が表示されており、作成者によってそれぞれデータが入力される。
入力されたタイトルは、表示時に画面中央に表示される。
【００５６】
「ファイル名」の記入欄には、作成者の端末１０に保存されている画像ファイル（例えばgifファイルやHTMLファイル）やワープロファイルなどの保存先を指定することにより、そのファイルを自由ページ画面とすることができる。
そして、画面Ｄ１７中の「実行」ボタンＢ１０を選択することにより、入力した内容が保存され、前画面に戻る。
また画面Ｄ１７中の「キャンセル」ボタンＢ１１を選択することにより、入力した内容は破棄され、前画面に戻る。
前記保存先が端末１０の場合には、作成された教育資料ファイルの自由ページの個所はファイルの指定先が記述されているだけであり、後述のようにプレビュー画面に自由ページは表示されない。
そこで、サーバー１から端末１０に教育資料ファイルをダウンロードすることで、教育資料ファイルと自由ページのデータの保存先が同一の端末となり、前記教育資料ファイルに前記自由ページのデータが組み込まれて、安全教育資料ファイルが完成するようになっている。
【００５７】
［プレビュー］
各コース画面Ｄ２、Ｄ３、Ｄ４、Ｄ５で、最下段に配された「プレビュー」ボタンＢ６を指定すると、前記手順で作成した教育資料ファイルの画面イメージをプレビュー表示することができる。
但し、自己紹介作成画面Ｄ９や自由ページ作成画面Ｄ１７で端末１０に記録されているファイルを指定した場合は、プレビュー画面上には表示されない。
また、コース画面Ｄ２、Ｄ３、Ｄ４、Ｄ５の各項目で「作成しない」を選択しているものに関しては、表示はされない。
【００５８】
［ダウンロード］
各コース画面Ｄ２、Ｄ３、Ｄ４、Ｄ５で、前記「プレビュー」ボタンＢ６の横に並んで配された[ダウンロード]ボタンＢ７を指定すると、図示しないダウンロード確認画面が表示され、「保存」ボタンをクリックすると教育資料ファイルおよび説明ポイントファイルのダウンロード先を指定する画面（図示省略）が表示される。
【００５９】
そこで保存先を端末１０の記録部に指定して、「保存」ボタンをクリックすると圧縮ファイル(lzh)がダウンロードされる。
この圧縮ファイルを解凍すると、（１）安全教育資料ファイル(HTMLファイル、GIFファイル、Flashファイル群)、（２）説明ポイントファイル(Excel（商標）ファイル)が生成される。
【００６０】
［作成資料  画面表示用資料］
前記ダウンロードした圧縮ファイルを解凍すると、解凍先に以下のフォルダ構成でファイルが生成される。
（１）Root(解凍先として指定を行ったフォルダ)
（１−１）index.htmlをはじめとするhtmlファイル群
（１−２）jirei(災害事例を格納するフォルダ)
（１−２−１）災害事例のhtmlファイル群
（１−２−２）img(イメージファイルを格納するフォルダ)
（１−２−２−１）gif、Flashファイル群
（１−３）説明ポイントが記されたExcel（商標）などの表計算ファイル
【００６１】
［表紙画面］
表紙画面では、画面の下中央には「NEXT」ボタン(リンク)があり、それを選択すると次のページに進む。
2ページ目以降は「BACK」、「NEXT」と表示され、それぞれを選択することにより、前のページや次のページに進むことができる。(最終ページは「BACK」と「TOP」になる)
【００６２】
災害事例のページでは、メニュー画面が表示される。
この画面には、災害事例選択画面にて選択した事例が一覧表示される。
たとえば、「自動車で人が通り抜けをしている。」「ベンチの端によりすぎている。」「運転席から身を乗り出している。」の各事例（タイトル）が表示される。
それぞれの事例(タイトル)は、いずれかを選択することにより災害事例の詳細画面がリンクされて表示されるようになっている。
【００６３】
［説明ポイントファイル］
ダウンロードした圧縮ファイルを解凍すると、解凍先に説明ポイントを記したテキストファイルとしての説明ポイントファイルが生成される。
説明ポイント情報は、コースごとに説明のレベルを変えた情報を用意しておいてもよい。
【００６４】
［管理機能］
「管理機能」では、安全教育用資料の作成者リストを一覧表示することができる。
前記サーバー１に端末１０を接続して教育資料ファイルを作成した作成者の属性データ、例えば作成日、氏名、所属、作成した教育資料ファイルの教育レベルについて、サーバー１の記録部２に記録される。
これは、作成者がログインした際のパスワードやＩＤ、あるいは直接に外部入力することで、従業員の氏名、従業員番号、所属（販社名、支店名）などのデータが得られる。
【００６５】
また、作成した安全教育資料ファイルなどをダウンロードすると、作成者が選択した内容（コース名）、日時（ダウンロード日時）などが得られる。
これらのデータが、作成者属性ファイルとしてサーバーの記録部に記録され、これらがまとめられて管理用データベースとなる。
そして、管理者やインストラクタは、自己の端末から、作成者の全部または一部について上記属性データを用いて一覧表を作成したり、抽出や検索を行うことができる。
【００６６】
コンピュータネットワークＮに、管理者もしくはインストラクタがログインした場合、コース選択画面Ｄ１と同様の安全教育用資料作成画面Ｄ１８が表示されるが、「管理機能」メニューＢ１２が追加表示される(図２４参照)。
この画面Ｄ１８から、「管理者機能」を選択すると管理者用リスト作成画面（図示せず）が表示される。
この画面は、「期間」の記入欄と、「販売店選択」の記入欄が表示されている。
期間は、プルダウンメニュー（年は2000〜2099まで、月は1〜12まで、日は1〜31まで選択可能）から選択する。
【００６７】
販売店選択は、管理者がログインした場合にはパスワードまたはＩＤから管理者と判定されるので、「全て」と各販社名を指定することができる。
インストラクタがログインした場合は、パスワードまたはＩＤからインストラクタと判定されるので、表示範囲が限定される。即ち、表示範囲が「販売店選択」ではなく、「販売店名」となり、ログインしたインストラクタが所属する販社名のみが表示される。
【００６８】
そして、[表示]ボタンを指定することにより、安全教育用資料作成者リストが表示される。
前記安全教育用資料作成者リストは、販社名、支店名、従業員番号、従業員名、日付、内容(教育紹介、初心者コース、ベテランコース、大会コースのいずれか)の各データからなっている。
[出力]ボタンを指定することによりCSVファイルに出力することができる。
【００６９】
上記実施例では、建設機械の安全教育資料作成支援に適用した場合を例示したが、その他の商品や製品の各種教育資料作成支援に用いることもできる。
また、企業に限らず教育機関における教育担当者の教育資料作成支援としても利用することができる。
その他、要するにこの発明の要旨を変更しない範囲で種々設計変更しうること勿論である。
【図面の簡単な説明】
【００７０】
【図１】安全教育資料作成支援システムのブロック図である。
【図２】コース選択画面である。
【図３】過去の作成履歴の画面である。
【図４】教育紹介コースのフローチャートである。
【図５】教育紹介画面である。
【図６】初心者コースのフローチャートである。
【図７】初心者コース画面である。
【図８】ベテランコースのフローチャートである。
【図９】ベテランコース画面である。
【図１０】大会コースのフローチャートである。
【図１１】大会コース画面である。
【図１２】表紙作成画面である。
【図１３】目次作成画面である。
【図１４】社長挨拶作成画面である。
【図１５】自己紹介作成画面である。
【図１６】イントロダクション選択画面である。
【図１７】災害の実状表示画面である。
【図１８】災害事例の進め方表示画面である。
【図１９】災害事例選択画面である。
【図２０】災害事例一覧が表示された災害事例選択画面である。
【図２１】まとめ表示画面である。
【図２２】安全唱和表示画面である。
【図２３】自由ページ作成画面である。
【図２４】安全教育用資料作成画面である。
【図２５】資料作成用ステップ群とコースとの関係を示す図である。
【符号の説明】
【００７１】
１    サーバー  
２    記録部
３    教育資料作成手段
１０    端末
Ｄ１    コース選択画面
Ｄ２    教育紹介画面
Ｄ３    初心者コース画面
Ｄ４    ベテランコース画面
Ｄ５    大会コース画面
Ｄ６    表紙作成画面
Ｄ７    目次作成画面
Ｄ８    社長挨拶作成画面
Ｄ９    自己紹介作成画面
Ｄ１０  イントロダクション選択画面
Ｄ１１  災害の実状表示画面
Ｄ１２  災害事例の進め方表示画面
Ｄ１３  災害事例選択画面
Ｄ１４  災害事例選択画面
Ｄ１５  まとめ表示画面
Ｄ１６  安全唱和表示画面
Ｄ１７  自由ページ作成画面
Ｄ１８  安全教育用資料作成画面
【図１】
2006292976.tif 000003
【図２】
2006292976.tif 000004
【図３】
2006292976.tif 000005
【図４】
2006292976.tif 000006
【図５】
2006292976.tif 000007
【図６】
2006292976.tif 000008
【図７】
2006292976.tif 000009
【図８】
2006292976.tif 000010
【図９】
2006292976.tif 000011
【図１０】
2006292976.tif 000012
【図１１】
2006292976.tif 000013
【図１２】
2006292976.tif 000014
【図１３】
2006292976.tif 000015
【図１４】
2006292976.tif 000016
【図１５】
2006292976.tif 000017
【図１６】
2006292976.tif 000018
【図１７】
2006292976.tif 000019
【図１８】
2006292976.tif 000020
【図１９】
2006292976.tif 000021
【図２０】
2006292976.tif 000022
【図２１】
2006292976.tif 000023
【図２２】
2006292976.tif 000024
【図２３】
2006292976.tif 000025
【図２４】
2006292976.tif 000026
【図２５】
2006292976.tif 000027